(57)【要約】【課題】宅配ロッカーの中に物が収容されていることを一目で確認することのできる宅配ロッカーを提供する。【解決手段】荷受け口を有する荷受け箱と、前記荷受け口を開閉する扉と、前記荷受け箱に設けられた帯部であって、前記荷受け口が前記扉により閉じられた状態において、前記扉の隙間に挟入可能な前記帯部と、を備える、宅配ロッカー。【選択図】図１
2020156610.tif 000002
【特許請求の範囲】
【請求項１】
荷受け口を有する荷受け箱と、
前記荷受け口を開閉する扉と、
前記荷受け箱に設けられた帯部であって、前記荷受け口が前記扉により閉じられた状態において、前記扉の隙間に挟入可能な前記帯部と、を備える、
宅配ロッカー。
【請求項２】
前記帯部の第１端部が、前記荷受け箱の天板部に垂設される、
請求項１に記載の宅配ロッカー。
【請求項３】
前記帯部の第２端部が、錘を有する、
請求項１又は２に記載の宅配ロッカー。
【請求項４】
前記帯部の第２端部が、前記荷受け口が前記扉により閉じられた状態において、前記扉の隙間を通過できない係止部を有する、
請求項１〜３のいずれか一項に記載の宅配ロッカー。
【請求項５】
前記扉の内面側に、ロッカー所有者を示す情報コードを表示する第１表示部を有する、
請求項１〜４のいずれか一項に記載の宅配ロッカー。
【請求項６】
前記扉の内面側に、前記荷受け箱へ宅配物を搬入したことを示す情報コードを表示する第２表示部を有する、
請求項１〜５のいずれか一項に記載の宅配ロッカー。
【請求項７】
前記荷受け箱は、当該荷受け箱の底にブロックを固定するための金具を備える、
請求項１〜６のいずれか一項に記載の宅配ロッカー。
【請求項８】
前記扉を施錠する施錠部をさらに有する、
請求項１〜７のいずれか一項に記載の宅配ロッカー。
【発明の詳細な説明】
【技術分野】
【０００１】
本発明は、宅配ロッカーに関する。
【背景技術】
【０００２】
従来から、宅配物を荷受するために、集合住宅の住人が共有する宅配ボックス装置が用いられている。例えば、特許文献１には、宅配物の大きさに応じて、大きさの異なる複数の宅配物収納部のうちから適した大きさの宅配物収納部を容易に選択することができる宅配ボックス装置が開示されている。また、近年、戸建住宅にも宅配ボックスが普及しつつある。
【先行技術文献】
【特許文献】
【０００３】
【特許文献１】特開２０１４−１６６９２４号公報
【発明の概要】
【０００４】
一般に、住人が不在の場合には、配達人は宅配ボックスに宅配物を保管し、その旨を記載した不在連絡票をポストに投函する。そして、住人は、ポストに投函された不在連絡票により、宅配ボックスに宅配物が保管されていることを知る。
【０００５】
ここで、宅配物が生鮮品や冷蔵・冷凍保存が必要な食品などである場合には、可能な限り早く宅配ボックスから宅配物を回収することが望ましい。特に、近年では、ネットスーパーの普及とともに、冷蔵・冷凍保存が必要な食品が宅配されるケースが増加しており、より早期に、具体的には住人が帰宅した時に宅配ボックスを見ただけですぐに宅配物が宅配ボックスに入っているか否かを確認したいというニーズがある。
【０００６】
また、今後の宅配ボックスの更なる利用方法として、住人が牛乳パックやトレーなどのリサイクル品を宅配ボックスに入れておき、配達人が宅配ボックスからリサイクル品を回収することも考えられる。しかし、従来は、配達人が個々の住宅にある宅配ボックスの扉を開けて、その中に回収物が入れられているか否かをいちいち確認する必要があり、配達人の回収負担が大きい。
【発明が解決しようとする課題】
【０００７】
本発明は、かかる事情に鑑みてなされたものであり、不在連絡票を確認したり、宅配ロッカーの扉を開けたりしなくとも、宅配ロッカーの中に物が収納されていることを一目で確認することのできる宅配ロッカーを提供することを目的とする。
【課題を解決するための手段】
【０００８】
本発明者らは上記課題を解決するために鋭意検討した。その結果、宅配ロッカーの扉により閉じられた状態において、宅配ロッカーの中に物が収容されていることを示す帯部を備えることにより、上記課題を解決しうることを見出し、本発明を完成するに至った。
【０００９】
すなわち、本発明の一態様に係る宅配ロッカーは、荷受け口を有する荷受け箱と、荷受け口を開閉する扉と、荷受け箱に設けられた帯部であって、荷受け口が扉により閉じられた状態において、扉の隙間に挟入可能な帯部と、を備える。
【発明の効果】
【００１０】
本発明によれば、宅配ロッカーの中に物が収容されていることを一目で確認することのできる宅配ロッカーを提供することができる。
【図面の簡単な説明】
【００１１】
【図１】本実施形態の宅配ロッカーの扉が開いた状態を示す斜視図である。
【図２】本実施形態の宅配ロッカーの扉を閉じた状態において、帯部の一端が宅配ロッカーの外に出ている状態を示す斜視図である。
【図３】本実施形態の宅配ロッカーの扉を閉じた状態において、帯部が宅配ロッカーの中にしまわれている状態を示す斜視図である。
【図４】本実施形態の宅配ロッカーの扉を閉じた状態において、帯部が荷受け箱と扉の隙間に挟入されている状態を示す断面図である。
【発明を実施するための形態】
【００１２】
以下、必要に応じて図面を参照しつつ、本発明の実施の形態について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１３】
本実施形態の宅配ロッカーは、荷受け口が扉により閉じられた状態において、扉の隙間に挟入可能な帯部を有する。これにより、帯部を宅配ロッカーの外に露出した状態で扉を閉じることが可能となり、例えば、帯部を宅配ロッカーの外側に露出した状態で扉が閉じられているか、帯部を宅配ロッカーの内側にしまった状態で扉が閉じられているかによって、宅配ロッカーの中に物が収容されているか否かを一目で確認することができる。
【００１４】
図１〜図３には、本実施形態の宅配ロッカー１が示されている。図１は、扉２０を開いた状態の宅配ロッカー１を示し、図２は、帯部３０を外側に出して扉２０を閉めた状態の宅配ロッカー１を示し、図３は、帯部３０を内側にしまって扉２０を閉めた状態の宅配ロッカー１を示す。なお、本実施形態の宅配ロッカーは、いわゆるロッカーの形状を有するものに限られず、宅配ボックス、その他配送された物を収容可能な構造ないし形状を有するものを含む。本実施形態の宅配ロッカーの設置場所としては、戸建て住宅や、マンションやアパートのような集合住宅や、工場、店舗など住宅以外の場所が挙げられる。
【００１５】
本実施形態の宅配ロッカー１は、荷受け口１１を有し、宅配物が収容される荷受け箱１０と、荷受け口１１を開閉する扉２０と、荷受け口１１が扉２０により閉じられた状態において、荷受け口１１と扉２０の隙間に挟入可能な帯部３０と、を備える。以下では、荷受け箱１０に対して荷受け口１１を閉じたときの扉２０が位置する側を前方とし、その反対側を後方とし、平面視においてこの前後方向に直交する方向を左右方向として、各構成について説明する。各図において、矢印Ｘで示す方向が前方であり、矢印Ｙで示す方向が右方であり、矢印Ｚで示す方向が上方である。
【００１６】
荷受け箱１０は、例えば、前面が開口した略直方体の箱体である。荷受け箱１０は、天板部１２と、底板部１３と、左右一対の側板部１４と、後板部１５とを一体に組み立てて設けられる。各板部１２，１３，１４，１５によって囲まれて形成される収容空間Ｓ１の前端部が、荷受け口１１である。
【００１７】
荷受け箱１０は、天板部１２に垂設される帯部３０を有する。図４に、宅配ロッカー１の扉２０を閉じた状態において、帯部３０が荷受け箱１０と扉２０の隙間に挟入されている状態を表す断面図を示す。
【００１８】
図４に示すように、帯部３０の一方の端部（第１端部３１）は、天板部１２の内側に固定されており、帯部３０の胴部は、他方の端部（第２端部３２）を宅配ロッカー１の外に露出した状態で、扉２０を閉じることができるよう薄く構成される。
【００１９】
なお、本実施形態において、帯部３０とは、荷受け口１１が扉２０により閉じられた状態において、扉２０の隙間に挟入可能であれば特に制限されず、必ずしも所定の幅があるものに限定されない。したがって、本実施形態の帯部３０には、例えば、リボンのほか、紐や糸、その他扉２０の隙間に挟入可能な長尺物も含まれる。
【００２０】
宅配ロッカー１の外に露出した第２端部３２は、荷受け箱１０の中に宅配物が収容されているかどうかのサインとして用いることができる。例えば、宅配ロッカー１の外に第２端部３２が露出している場合には、宅配物が収容されている状態を意味し、宅配ロッカー１の内に第２端部３２が収容されている場合には、宅配物が収容されていない状態を意味するものと解することができる。
【００２１】
上記のように、他端が垂れ下がるように帯部３０の第１端部３１を天板部１２に固定（垂設）することにより、例えば、第２端部３２を宅配ロッカー１の外に露出した状態（図２）で閉じられた扉２０を開いた際に、帯部３０は重力に従って天板部１２から垂下した状態（図１）となる。すなわち、配達人が宅配物を荷受け箱１０に収容して、宅配物を収容したサインとして第２端部３２を宅配ロッカー１の外に露出した状態で扉２０を閉めた場合に、住人が扉２０を開けて宅配物を回収すると、自動的に宅配物を収容したサインである帯部３０が荷受け箱１０内に収容される。そのため、帯部３０の第１端部３１を天板部１２に垂設した場合には、宅配物を収容したサインを住人が意図的に消す所作が不要となる。
【００２２】
なお、図１及び図４では、帯部３０の第１端部が天板部１２に垂設された態様を示したが、帯部３０の第２端部が、規制されず、宅配ロッカー１の外に露出した状態で扉２０を閉じることができる態様であれば、帯部３０の第１端部３１は天板部１２に固定される必要はない。例えば、帯部３０の第１端部３１は、底板部１３や側板部１４に固定されていてもよい。
【００２３】
また、図１及び図４では、帯部３０の第１端部が天板部１２の内側に固定された態様を示したが、帯部３０の第１端部は天板部１２又は側板部１４の外側に固定されていてもよい。
【００２４】
帯部３０の第１端部３１の板部１２，１３，１４への固定手段は特に限定されない。例えば、帯部３０の第１端部３１は、鋲等の固定冶具や接着剤等で板部１２，１３，１４に固定されてもよいし、磁石やマジックテープ（登録商標）等の脱着可能な手段により板部１２，１３，１４に固定されてもよい。
【００２５】
また、相互に識別可能な複数の帯部３０を宅配ロッカー１に固定し、少なくとも一つの帯部３０を宅配ロッカー１の外に露出させることにより、それぞれの帯部３０を、意味の異なる複数のサインとして用いることができる。例えば、帯部３０が赤色の場合は、宅配ロッカー１の施錠が必要であることを意味し、帯部３０が青色の場合は、宅配ロッカー１の施錠が不要であることを意味するようにしてよく、その場合、住人側で、任意に帯部３０を使い分けて宅配ロッカー１の外に露出させておくことによって、配達人に対して施錠の有無を指示できる。
【００２６】
さらに、帯部３０には、宅配ロッカー１に宅配物が収容されているか否かのサインに加えて又は代えて、回収業者が回収する回収物が収容されているか否かのサインとしての意味を持たせることもできる。例えば、ネットスーパーで商品を注文した場合には、配送用のプラスチックケースや保冷ケースに入れた状態で商品が配達される。配達人が配達した商品を宅配ロッカー１の中に収納したときに、例えば白い帯部３０の一端が宅配ロッカー１の外に出るようしておくことで、住人は白い帯部３０を見て、宅配ロッカー１の中に商品が配達されたことを認識できる。また、これら配送用のプラスチックケースや保冷ケースは再利用のために回収される。このような場合に、例えば、住人が空のケースを宅配ロッカー１に収容し、空のケースが収容されているサインとして、黄色の帯部３０の一端が宅配ロッカーの外に出るように扉２０を閉める。これにより、配達人や回収者は、宅配ロッカー１から黄色の帯部３０が外に出ていれば、中に回収物が収容されていることを認識でき、効率よく回収物を回収できる。
【００２７】
上記のように、帯部３０は、その色に応じて相互に識別可能とすることができる。また、帯部３０の色以外にも、長さや、形、又は帯部を設置する位置などによっても、帯部３０を相互に識別できるようにしてもよい。
【００２８】
なお、ここでは、サインの種類によって複数の帯部３０を有する宅配ロッカー１を示したが、１つの帯部３０を有する宅配ロッカー１において、帯部３０が脱着可能な手段により宅配ロッカー１に固定されることにより、サインの意味の異なる複数の帯部３０を付け替えるものとしてもよい。
【００２９】
帯部３０の第２端部３２は、荷受け口１１が扉２０により閉じられた状態において、荷受け口１１と扉２０の隙間を通過できない係止部３３を有してもよい。ここで、係止部３３は、荷受け口１１が扉２０により閉じられた状態において、荷受け口１１と扉２０の隙間を通過できない大きさを有するものであれば特に制限されない。例えば、係止部３３としては、第２端部３２に設けた帯部３０の結び目であってもよいし、第２端部３２に固定した錘などであってもよい。
【００３０】
帯部３０の第２端部３２が係止部３３を有することにより、帯部３０の第２端部３２を宅配ロッカー１の外に出して扉２０を閉じた状態において、帯部３０の第２端部３２が何らかの外力で荷受け箱１０内に移行することを抑制することができる。例えば、本実施形態の宅配ロッカー１は、雨風に曝される屋外で使用することも想定している。係止部３３を設けることで、雨風等の外力により、帯部３０の第２端部３２が荷受け箱１０内に移行することを抑制することができる。
【００３１】
また、帯部３０の第２端部３２が錘を有することで、第２端部３２は重力に従って垂れ下がり、所定の箇所に落ち着く。これにより、第２端部３２を宅配ロッカー１の外に露出した状態において、帯部３０は所定の箇所に落ち着くため、帯部３０が宅配ロッカー１の外に露出しているか否かの確認が容易となる。また、図２の状態から閉じられた扉２０を開いた際に、帯部３０は天板部１２から垂下した状態（図１）となりやすい。
【００３２】
図１〜図３では、扉２０を、その右端部が、荷受け箱１の右端部に回転自在に支持されている、右開きの開扉の態様として示したが、扉２０の態様は荷受け箱１の荷受け口１１を開閉するように荷受け箱１に取り付けられていればこれに制限されない。例えば、扉２０は、左開きの開扉や、上開きまたは下開きの開扉、両開きの開扉であってもよいし、引戸や、折れ戸であってもよい。
【００３３】
なお、本実施形態の「扉の隙間」には、図４に示すような荷受け箱１０と扉２０の隙間の他に、上記両開きの開扉のように扉２０が複数枚の扉により構成される場合における扉同士の隙間も含まれる。
【００３４】
扉２０には、扉２０を施錠する施錠部４０をさらに有してもよい。施錠部４０に採用する施錠方法は特に制限されず、例えば、一般的な鍵で施錠及び解錠を行うシリンダー錠式、ダイヤルを左右に回し番号を合わせて扉を解錠するダイヤル式、所定桁数の暗証番号を入力して扉を解錠するテンキー式や数字合わせ式などが挙げられる。そのほか、指紋認証式や、ＩＣカード式など公知の施錠方法を用いることもできる。
【００３５】
なお、宅配ロッカー１が施錠部４０を有する場合には、住人と配達人との間で解錠方法を共有してもよいし、配達人には施錠方法のみを知らせ、住人のみが解錠できる態様としてもよい。住人と配達人との間で解錠方法を共有する態様としては、例えば、シリンダー錠式の施錠部４０の鍵を２つ以上用意して、住人と配達人がそれぞれ所有することが考えられる。また、配達人には施錠方法のみを知らせ、住人のみが解錠できる態様としては、ダイヤル式等の施錠部４０を利用することで、施錠は誰でもできるようにし、解錠は暗証番号を知っている住人のみができるようにすることが考えられる。
【００３６】
扉２０の内側には、宅配物の配送、回収物の回収、その他、宅配ロッカー１の使用に関連して用いられる情報コードを表示する表示部５０が設けられていてもよい。このような情報コードとしては、ロッカー所有者を示す情報コードや、荷受け箱１０へ宅配物を搬入したことを示す情報コード、荷受け箱１０から回収物を搬出したことを示す情報コードが挙げられる。情報コードとしては、例えば、バーコードなどの一次元コードや、ＱＲコード（登録商標）などの二次元コードが含まれる。
【００３７】
例えば、ロッカー所有者を示す情報コードを所定の読み取り機で読み取ることで、配達人は、その宅配ロッカー１の所有者を確認することができる。そのため、誤った宛先に宅配物が宅配されることを回避することができる。
【００３８】
また、荷受け箱１０への宅配物の搬入をしたことを示す情報コードを所定の読み取り機で読み取ることで、配達人は、読み取り機に配達記録を記憶させることができる。これにより、配達の管理がより容易となる。また、配達記録を記憶した読み取り機から、所定の配達伝票を印刷するようにしてもよい。これにより、配達伝票の作成作業がより簡易となる。
【００３９】
さらに、荷受け箱１０からの回収物の搬出をしたことを示す情報コードを所定の読み取り機で読み取ることで、回収業者は、読み取り機に回収記録を記憶させることができる。これにより、回収の管理がより容易となる。
【００４０】
荷受け箱１０は、当該荷受け箱１０の底にブロック６０を固定するための金具７０を備えていてもよい。荷受け箱１０の底にブロック６０を固定することが可能あれば金具７０の設置位置は、特に制限されない。例えば、金具７０は、底板部１３、側板部１４、又は後板部１５に設置することができる。
【００４１】
金具７０によって荷受け箱１０にブロック６０を固定することにより、荷受け箱１０を設置位置に固定することができる。また、ブロック６０が重石となって荷受け箱１０を設置位置に固定できるため、荷受け箱１０自体の重量を軽量化することが可能となる。これにより、荷受け箱１０の設置がより容易となる。
【００４２】
以上説明した本実施形態の宅配ロッカー１は、住宅の入口部分に取り付けられる。続いて、本実施形態の宅配ロッカー１の使用方法の一例について説明する。宅配ロッカー１は、荷受け箱１の荷受け口１１が扉２０で閉じられている状態が、宅配物の受け取り前の状態である。
【００４３】
まず、宅配物の配達人は、扉２０を開き、宅配物を、荷受け箱１内に収容する。次いで、配達人は扉２０を閉めて、必要に応じて施錠をする。このとき、配達人は、帯部３０の第２端部３２が宅配ロッカー１の外に露出した状態で扉を閉じる。これにより、住人は、宅配物が配達されていることを一目で確認することができる。
【００４４】
また、扉２０の内側に情報コードを表示する表示部５０がある場合には、配達人は扉２０を閉める前に、所定の情報コードを携帯型の読み取り機で読取り、宅配ロッカー１が間違っていないか否かの確認をしたり、配達記録をつけたりすることができる。
【００４５】
続いて、宅配ロッカー１から宅配物を取り出す方法の一例について説明する。まず、住人は、帯部３０の第２端部３２が宅配ロッカー１の外に露出した状態であることを見て、宅配ロッカー１内に、自宅宛の宅配物が収容されていることを認識する。
【００４６】
次いで、住人は、所定の解錠方法により扉２０を解錠し、扉３を開き、荷受け箱１内から宅配物を取り出す。そして、住人は、扉２０を閉じる。このとき、住人は、帯部３０の第２端部３２が宅配ロッカー１の中にしまわれた状態で扉を閉じる。これにより、宅配ロッカー１は、宅配物の受け取り前の状態に戻る。また、配達人は、宅配ロッカー１が宅配物を受取可能な状態にあることを認識することができる。
【００４７】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４８】
１…箱、１…宅配ロッカー、３…扉、１０…箱、１１…口、１２…天板部、１３…底板部、１４…側板部、１５…後板部、２０…扉、３０…扉、３０…帯部、３１…第１端部、３２…第２端部、３３…係止部、４０…施錠部、５０…表示部、６０…ブロック、７０…金具
【図１】
2020156610.tif 000003
【図２】
2020156610.tif 000004
【図３】
2020156610.tif 000005
【図４】
2020156610.tif 000006